(57)【要約】【課題】  照明装置の個体差に起因する表示品質のばらつきを効果的に低減でき、もって高画質の液晶表示装置を安価に提供可能とする液晶表示装置の色調整方法、及び色調整装置を提供する。【解決手段】  本発明に係る液晶表示装置の色調整方法は、液晶パネルの背面側に照明手段を配設してなる液晶表示装置の色調整方法であり、前記照明手段から出力された照明光の測色を実行する測色ステップＳ１と、前記測色ステップＳ１で得られた色度情報と、予め記憶された基準色度情報とから色差情報を導出する色差導出ステップＳ２と、前記色差情報に基づいて、前記液晶パネルに供給する表示信号を生成する画像処理手段のカラー変換テーブルを補正する色補正ステップＳ４とを有している。【選択図】        図６
2006091237.tif 000002
【特許請求の範囲】
【請求項１】
液晶パネルの背面側に照明手段を配設してなる液晶表示装置の色調整方法であって、
前記照明手段から出力された照明光の測色を実行する測色ステップと、
前記測色ステップで得られた色度情報と、予め記憶された基準色度情報とから色差情報を導出する色差導出ステップと、
前記色差情報に基づいて、前記液晶パネルに供給する表示信号を色補正する色補正ステップと
を有することを特徴とする液晶表示装置の色調整方法。
【請求項２】
前記色補正ステップが、入力された画像信号を前記表示信号に変換するためのカラー変換テーブルを、前記色差情報に基づき補正するステップであることを特徴とする請求項１に記載の液晶表示装置の色調整方法。
【請求項３】
前記色差情報が、ＣＩＥＬＡＢ色空間における色差ΔＥａ＊ｂ＊であることを特徴とする請求項１又は２に記載の液晶表示装置の色調整方法。
【請求項４】
前記色差ΔＥａ＊ｂ＊の値が既定値以上であるとき、前記色補正ステップを実行することを特徴とする請求項３に記載の液晶表示装置の色調整方法。
【請求項５】
液晶パネルと、該液晶パネルの背面側に配設された照明手段と、カラー変換テーブルの参照により、入力された画像信号を前記液晶パネルに供給する表示信号に変換する画像処理手段とを具備した液晶表示装置の色調整に適用できる色調整装置であって、
前記照明手段から出力された照明光の測色を行う測色手段と、
前記測色手段にて得られた色度情報と、予め記憶された基準色度情報とから色差情報を導出する色差導出手段と、
前記色差情報に基づいて、前記画像処理手段に設けられたカラー変換テーブルを補正する色補正手段と
を具備したことを特徴とする液晶表示装置の色調整装置。
【請求項６】
液晶パネルと、該液晶パネルの背面側に配設された照明手段と、カラー変換テーブルの参照により、入力された画像信号を前記液晶パネルに供給する表示信号に変換する画像処理手段とを具備した液晶表示装置の色調整に適用できる色調整装置であって、
前記液晶パネルに設けられた測色手段から出力される色度情報と予め記憶された基準色度情報とから色差情報を導出する色差導出手段と、
前記色差情報に基づいて前記画像処理手段のカラー変換テーブルを補正する色補正手段と
を具備したことを特徴とする液晶表示装置の色調整装置。
【請求項７】
液晶パネルと、該液晶パネルの背面側に配設された照明手段と、入力された画像信号を前記液晶パネルに供給する表示信号に変換する画像処理手段とを具備した液晶表示装置であって、
前記液晶パネルに、前記照明手段から供給される照明光の色度を測定する測色手段が設けられ、前記画像処理手段には、前記画像信号から前記表示信号への変換時に参照されるカラー変換テーブルが設けられており、
前記カラー変換テーブルが、前記測色手段又は外部回路から直接又は他の信号処理手段を介して入力される色補正情報に基づき更新可能に構成されていることを特徴とする液晶表示装置。
【請求項８】
前記測色手段から出力される色度情報を外部回路へ出力する色度情報出力端子と、前記カラー変換テーブルを更新するための色補正情報を外部回路から入力する補正情報入力端子とを具備したことを特徴とする請求項７に記載の液晶表示装置。
【請求項９】
前記照明手段から出力される照明光の基準色度情報を保持する記憶手段と、
前記記憶手段に保持された基準色度情報と、前記測色手段から出力される色度情報とから色差情報を導出する色差導出手段とを備え、
前記色差導出手段が、前記カラー変換テーブルを更新するための色補正情報としての前記色差情報を、前記画像処理手段に対し出力可能に構成されていることを特徴とする請求項７に記載の液晶表示装置。
【請求項１０】
前記色差導出手段にて導出される色差情報が、ＣＩＥＬＡＢ色空間における色差ΔＥａ＊ｂ＊であることを特徴とする請求項９に記載の液晶表示装置。
【請求項１１】
前記測色手段が、前記液晶パネルに形成された受光素子と、該受光素子を含む液晶パネルの平面領域内に設けられた分光手段とを含むことを特徴とする請求項７から１０のいずれか１項に記載の液晶表示装置。
【請求項１２】
前記分光手段が、特定波長域の光を選択的に透過させる光学フィルムであることを特徴とする請求項１１に記載の液晶表示装置。
【請求項１３】
前記受光素子を挟んで前記照明手段と反対側に、当該受光素子を平面的に覆う光反射手段が設けられていることを特徴とする請求項１１又は１２に記載の液晶表示装置。
【請求項１４】
前記分光手段が、前記液晶パネルに設けられたカラーフィルタに形成された着色部材であることを特徴とする請求項１３に記載の液晶表示装置。
【請求項１５】
前記分光手段が、前記受光素子と前記光反射手段との間に設けられていることを特徴とする請求項１３に記載の液晶表示装置。
【請求項１６】
前記光反射手段が、前記液晶パネルに装着されたフレームに設けられていることを特徴とする請求項１３から１５のいずれか１項に記載の液晶表示装置。
【請求項１７】
前記液晶パネルの表示領域内に反射層が形成されており、
前記光反射手段が、前記反射層と同層に形成された反射膜であることを特徴とする請求項１３に記載の液晶表示装置。
【請求項１８】
前記液晶パネルの有効表示領域の外側に、少なくとも金属膜と金属酸化膜とを有する遮光部が設けられており、
前記遮光部の金属膜の一部が、前記光反射手段を形成していることを特徴とする請求項１３から１５のいずれか１項に記載の液晶表示装置。
【請求項１９】
前記液晶パネルに設けられたカラーフィルタの色数に応じて前記測色手段が設けられ、前記分光手段が、前記カラーフィルタの各色に対応する分光特性を有していることを特徴とする請求項１１から１８のいずれか１項に記載の液晶表示装置。
【請求項２０】
請求項７から１９のいずれか１項に記載の液晶表示装置を備えたことを特徴とする電子機器。
【発明の詳細な説明】
【技術分野】
【０００１】
本発明は、液晶表示装置の色調整方法と色調整装置、液晶表示装置、及び電子機器に関するものである。
【背景技術】
【０００２】
電子機器の表示部として利用されている液晶表示装置は、液晶パネルと、その背面側に設けられたバックライトとを備えたものが一般的である。またこの種の液晶表示装置としては、バックライトの出力を調整して表示輝度を調整できるものが知られており、例えば特許文献１では、交流駆動のバックライトを備えた液晶表示装置において、バックライトのばらつきを電源側で監視し、制御する構成が開示されている。
【特許文献１】特開平９−２１９９８号公報
【発明の開示】
【発明が解決しようとする課題】
【０００３】
ところで、照明装置を具備した液晶表示装置の表示色は、特に液晶パネルに設けられたカラーフィルタと照明装置の色合いにより決まるものである。照明装置はその照明光の特性において個体差が大きく、直視型液晶表示装置に用いられるＬＥＤ（発光ダイオード）を光源とするバックライトでは特に色のばらつきが大きい。ＬＥＤを用いたバックライトの個体差を小さくしようとすると、ＬＥＤを選別する必要があるため、現状ではコスト上昇などの不都合が生じる。また特許文献１にはバックライトの制御素子や温度変化に起因する輝度ばらつきを補正する方法が記載されているが、上記照明装置の色ばらつきの問題を解決し得るものではない。
【０００４】
本発明は、上記事情に鑑みて成されたものであって、照明装置の個体差に起因する表示品質のばらつきを効果的に低減でき、もって高画質の液晶表示装置を安価に提供可能とする液晶表示装置の色調整方法、及び色調整装置を提供することを目的としている。
また本発明は、安価に製造可能な高画質の液晶表示装置を提供することを目的としている。
【課題を解決するための手段】
【０００５】
上記課題を解決するために、本発明は、液晶パネルの背面側に照明手段を配設してなる液晶表示装置の色調整方法であって、前記照明手段から出力された照明光の測色を実行する測色ステップと、前記測色ステップで得られた色度情報と、予め記憶された基準色度情報とから色差情報を導出する色差導出ステップと、前記色差情報に基づいて、前記液晶パネルに供給する表示信号を色補正する色補正ステップとを有することを特徴とする液晶表示装置の色調整方法を提供する。
この色調整方法によれば、照明手段から出力される照明光の色度情報と、基準値として保持された基準色度情報とから色差情報を算出し、係る色差情報に基づいて液晶パネルに供給する表示信号を補正するので、前記照明光の色ずれを定量的に検出し、補正することができる。したがって、照明手段の個体差に起因する照明光の色度ばらつきを液晶パネルにて効果的に補償することができる。そして、係る色調整方法を実行することで、所定の基準値に適合し、入力画像の忠実な再現が可能な液晶表示装置を得ることができる。色差導出手段にて導出される色差情報としては、ＣＩＥＬＡＢ色空間における色差ΔＥａ＊ｂ＊とＣＩＥＬＵＶ色空間における色差ΔＥｕ＊ｖ＊とを例示することができる。
【０００６】
本発明の液晶表示装置の色調整方法は、前記色補正ステップが、入力された画像信号を前記表示信号に変換するためのカラー変換テーブルを、前記色差情報に基づき補正するステップであることが好ましい。
上記色調整方法によれば、前記色差情報に基づいて液晶パネルのカラー変換テーブルを更新するので、照明光の色ばらつきを簡便な手法により効果的に補償することができる。
【０００７】
本発明の液晶表示装置の色調整方法では、前記色差情報が、ＣＩＥＬＡＢ色空間における色差ΔＥａ＊ｂ＊であることが好ましい。上記色差を用いることで、照明装置から出力される色度と、基準値として保存されている色度との差異を定量的に求めることができ、係る色差情報に基づき正確に色補正ステップを実行することができる。特に、色差ΔＥａ＊ｂ＊は、色差に関する視覚実験結果とよく整合が取れるので、人間の視覚に対応した液晶表示装置の色再現性を維持できるため好ましい。
【０００８】
本発明の液晶表示装置の色調整方法では、前記色差ΔＥａ＊ｂ＊の値が既定値以上であるとき、前記色補正ステップを実行することが好ましい。例えば、ΔＥａ＊ｂ＊が３以上である場合に、前記色補正ステップを実行し、ΔＥａ＊ｂ＊が３未満である場合には前記色補正ステップを実行しない色調整方法とすることができる。
【０００９】
本発明の液晶表示装置の色調整装置は、液晶パネルと、該液晶パネルの背面側に配設された照明手段と、カラー変換テーブルの参照により、入力された画像信号を前記液晶パネルに供給する表示信号に変換する画像処理手段とを具備した液晶表示装置の色調整に適用できる色調整装置であって、前記照明手段から出力された照明光の測色を行う測色手段と、前記測色手段にて得られた色度情報と、予め記憶された基準色度情報とから色差情報を導出する色差導出手段と、前記色差情報に基づいて、前記画像処理手段に設けられたカラー変換テーブルを補正する色補正手段とを具備したことを特徴とする。
この色調整装置によれば、液晶表示装置の照明光の色度を測定して色度情報を得て、係る色度情報と基準値として設定された基準色度情報とから色差情報を得ることにより、前記照明光の基準値からの色ずれを導出し、さらに係る色差情報に基づいて液晶パネルに供給する表示信号を生成するためのカラー変換テーブルを補正するようになっているので、照明光の色ずれを効果的に補正することができ、液晶表示装置における照明光の色ばらつきを効果的に補償することができる。
【００１０】
また本発明の液晶表示装置の色調整装置は、液晶パネルと、該液晶パネルの背面側に配設された照明手段と、カラー変換テーブルの参照により、入力された画像信号を前記液晶パネルに供給する表示信号に変換する画像処理手段とを具備した液晶表示装置の色調整に適用できる色調整装置であって、前記液晶パネルに設けられた測色手段から出力される色度情報と予め記憶された基準色度情報とから色差情報を導出する色差導出手段と、前記色差情報に基づいて前記画像処理手段のカラー変換テーブルを補正する色補正手段とを具備したことを特徴とする。
この構成の色調整装置は、測色手段を有する液晶パネルを具備した液晶表示装置の色調整に好適なものである。すなわち本構成の色調整装置は、液晶パネルに設けられた測色手段から照明光の色度情報を得て、色調整を行うように構成されている。係る構成の色調整装置を用いて液晶表示装置の色調整を行った場合にも、照明手段の個体差に起因する照明光の色ばらつきが効果的に補償された表示を得ることができる。
【００１１】
次に、本発明は、上記課題を解決するために、液晶パネルと、該液晶パネルの背面側に配設された照明手段と、入力された画像信号を前記液晶パネルに供給する表示信号に変換する画像処理手段とを具備した液晶表示装置であって、前記液晶パネルに、前記照明手段から供給される照明光の色度を測定する測色手段が設けられ、前記画像処理手段には、前記入力画像信号から前記表示信号への変換時に参照されるカラー変換テーブルが設けられており、前記カラー変換テーブルが、前記測色手段又は外部回路から直接又は他の信号処理手段を介して入力される色補正情報に基づき更新可能に構成されていることを特徴とする液晶表示装置を提供する。
この液晶表示装置によれば、液晶パネルに照明光の色度を測定する測色手段が設けられ、また液晶パネルに表示信号を供給する画像処理手段のカラー変換テーブルが更新可能に構成されているので、係る液晶表示装置に色調整装置を接続して色調整を行うならば、色調整装置において液晶パネルの測色手段から出力される色度情報を利用して色補正情報を生成でき、その色補正情報を用いてカラー変換テーブルを更新できるので、照明手段の個体差に起因する照明光の色ばらつきを効果的に補償した表示を得ることができる。したがって本構成によれば、照明手段の色度の制限が緩和され、低コストに均一な表示品質の液晶表示装置を提供することができる。
【００１２】
本発明の液晶表示装置では、前記測色手段から出力される色度情報を外部回路へ出力する色度情報出力端子と、前記カラー変換テーブルを更新するための色補正情報を外部回路から入力する補正情報入力端子とを具備した構成とすることが好ましい。この構成によれば、液晶表示装置に接続される色調整装置に対して照明光の色度情報を容易に出力でき、また色調整装置からは色補正情報を容易に入力できる液晶表示装置となる。
【００１３】
本発明の液晶表示装置では、前記照明手段から出力される照明光の基準値を保持する記憶手段と、前記記憶手段に保持された基準色度情報と、前記測色手段から出力される色度情報とから色差情報を導出する色差導出手段とを備え、前記色差導出手段が、前記カラー変換テーブルを更新するための色補正情報としての前記色差情報を、前記画像処理手段に対し出力可能に構成されていることが好ましい。
この構成によれば、前記測色手段にて得られた色度情報と、記憶手段に保持された基準色度情報とから液晶パネルの色補正を行うための色補正情報を得られる液晶表示装置が提供される。すなわち、別途用意した色調整装置を用いることなく、単独で自身の色調整が可能な液晶表示装置が提供される。
【００１４】
本発明の液晶表示装置では、前記色差導出手段にて導出される色差情報が、ＣＩＥＬＡＢ色空間における色差ΔＥａ＊ｂ＊であることが好ましい。この構成によれば、前記色差情報を定量的な値として得ることができ、より正確な色調整が可能な液晶表示装置となる。
【００１５】
本発明の液晶表示装置では、前記測色手段が、前記液晶パネルに形成された受光素子と、該受光素子を含む液晶パネルの平面領域内に設けられた分光手段とを含むことが好ましい。この構成によれば、簡便な構成で測色手段をパネルに実装でき、製造の容易性並びに製造コストの点で有効な構成となる。
【００１６】
本発明の液晶表示装置では、前記分光手段が、特定波長域の光を選択的に透過させる光学フィルムであってもよい。この構成によれば、分光手段を別途用意できるので、測色手段の分光感度をルータ条件に近づけることが比較的容易になる。
【００１７】
本発明の液晶表示装置では、前記受光素子を挟んで前記照明手段と反対側に、当該受光素子を平面的に覆う光反射手段が設けられている構成とすることもできる。すなわち、前記照明光を光反射手段よって反射させて受光素子に入射させる構成とすることができる。
【００１８】
また上記構成の液晶表示装置では、前記分光手段が、前記受光素子と前記光反射手段との間に設けられている構成とすることもできる。前記分光手段の位置は、受光素子に対して所定の色光を入射させることができる構造であれば特に限定はなく、本構成のように光反射手段により反射された光を分光して受光素子に入射させる構成であっても構わない。
【００１９】
本発明の液晶表示装置では、前記分光手段が、前記液晶パネルに設けられたカラーフィルタに形成された着色部材であってもよい。この構成によれば、分光手段をカラーフィルタに形成することができるので、受光素子との位置合わせ精度や製造コストの点で有利な構成となる。
【００２０】
本発明の液晶表示装置では、前記光反射手段が、前記液晶パネルに装着されたフレームに設けられていてもよい。あるいは前記光反射手段が、液晶パネルを構成する基板の外面又は内面に設けられていてもよい。
【００２１】
本発明の液晶表示装置では、前記液晶パネルの表示領域内に反射層が形成されており、前記光反射手段が、前記反射層と同層に形成された反射膜である構成とすることもできる。この構成によれば、前記光反射手段を前記反射層と同工程で形成でき、効率的にかつ低コストに光反射手段を形成することができる。
【００２２】
本発明の液晶表示装置では、前記液晶パネルの有効表示領域の外側に、少なくとも金属膜と金属酸化膜とを有する遮光部が設けられており、前記遮光部の金属膜の一部が、前記光反射手段を形成している構成とすることもできる。すなわち、液晶パネルの表示面側から見て金属酸化膜と金属膜とが積層された遮光部の裏面側を、前記光反射手段として用いることができる。係る構成の遮光部は、表示面側から見ると前記金属酸化膜の干渉によって黒色に見えるが、液晶パネルの裏面側から見ると金属光沢を有しているので、照明手段から出力された光を、この金属光沢の遮光部裏面で反射させ、前記受光素子に入射させることができる。このように液晶パネルに設けられた遮光部を利用する構成とすることで、容易に製造が可能で、コスト面でも有利なものとなる。
【００２３】
本発明の液晶表示装置では、前記液晶パネルに設けられたカラーフィルタの色数に応じて前記測色手段が設けられ、前記分光手段が、前記カラーフィルタの各色に対応する分光特性を有していることが好ましい。すなわち、前記分光手段が、前記カラーフィルタの色域に対応する色域を有して構成されていることが好ましい。この構成によれば、測色手段にて得られる色度情報とカラーフィルタを介して出力される色光の色度情報とを容易に対応指させることができ、液晶表示装置の色調整をさらに高精度に行えるようになる。
【００２４】
次に本発明の電子機器は、先に記載の本発明の液晶表示装置を備えたことを特徴とする。この構成によれば、入力画像を忠実に再現可能な表示部を具備した電子機器が提供される。
【発明を実施するための最良の形態】
【００２５】
（第１の実施形態）
以下、本発明の実施の形態を図面を参照して詳細に説明する。本実施形態は、本発明に係る液晶表示装置とその色調整方法、及び前記色調整に用いて好適な色調整装置の実施形態である。
【００２６】
まず、図１から図３を参照して本実施形態に係る液晶表示装置の構成について説明する。
図１は、本発明の一実施の形態である液晶表示装置の平面構成図であり、図２は、図１のＡ−Ａ’線に沿う断面構成図、図３は、前記液晶表示装置の１画素領域を示す平面構成図である。
【００２７】
液晶表示装置１００は、アクティブマトリクス方式の透過型カラー液晶表示装置であり、図２に示すように、液晶パネル１１０と、バックライト（照明手段）１２０とを主体として構成されている。液晶パネル１１０は、対向配置された一対の基板１１１，１１２と、基板１１１，１１２間に挟持されるとともにシール材１１３により封止された液晶層１１４とを備えて構成されている。
なお、図示は省略したが、基板１１１，１１２の外面側（液晶層と反対側）には、それぞれ偏光板や位相差板が設けられる。例えば液晶層１１４が垂直配向液晶からなるものである場合には、基板１１１，１１２のそれぞれの外面側に、λ／４位相差板と偏光板とを積層して配置して円偏光板とした構成が採用される。またバックライト１２０の照明光の利用効率を高めるための反射偏光板が設けられていてもよい。
【００２８】
前面側（図２上側）の基板１１１の内面（液晶層１１４側面）側に、カラーフィルタ１１５が設けられており、基板１１２の内面側には、回路層１１６が形成されている。また図１に示すように、液晶パネル１１０は、異なる平面寸法の基板１１１と基板１１２とを貼り合わせてなり、基板１１２より外側に張り出した基板１１１上の領域（回路層１１６）に、走査線駆動回路１３０と、データ線駆動回路１４０とが基板辺端に沿って配設されている。
【００２９】
そして、基板１１１，１１２が重なる平面領域内には、表示領域１１０Ａが形成され、この表示領域１１０Ａの外側の領域に色センサ１８０Ｒ、１８０Ｇ、１８０Ｂが設けられている。前記色センサ１８０Ｒ、１８０Ｇ、１８０Ｂは、表示領域１１０Ａの３つの辺端部に分散して配置されている。色センサ１８０Ｒ、１８０Ｇ、１８０Ｂは、それぞれ受光素子１６０Ｒ、１６０Ｇ、１６０Ｂとそれらに対応して設けられた色フィルム１７０Ｒ、１７０Ｇ、１７０Ｂとからなり、受光素子１６０Ｒ、１６０Ｇ、１６０Ｂは、図２に示すように基板１１２の回路層１１６に設けられており、色フィルム１７０Ｒ、１７０Ｇ、１７０Ｂは、基板１１２外面側の受光素子１６０Ｒ、１６０Ｇ、１６０Ｂと平面的に重なる位置に設けられている。
【００３０】
受光素子１６０Ｒ，１６０Ｇ，１６０Ｂは、フォトダイオードやフォトトランジスタ等により構成される。受光素子１６０Ｒ、１６０Ｇ、１６０Ｂとバックライト１２０との間に設けられた色フィルム１７０Ｒ（赤）、１７０Ｇ（緑）、１７０Ｂ（青）は、入射光の特定波長成分のみを透過させる分光手段として機能する光学フィルムであり、染料や顔料により着色したフィルムや、ダイクロイックフィルムを用いることができる。このような構成のもと、受光素子１６０Ｒ、１６０Ｇ、１６０Ｂは、バックライト１２０から入射する照明光の測色を行う測色手段として機能する。
【００３１】
基板１１１，１１２には、ガラスや石英、プラスチック等の透光性基板が用いられている。液晶層１１４を構成する液晶としては、所定の配向状態を形成し得る液晶であれば特に限定はなく、典型的にはネマチック液晶を用いる。また液晶の初期配向形態についても、ＴＮモードに限らず、垂直配向モードも適用できる。
カラーフィルタ１１５には、３色（Ｒ，Ｇ，Ｂ）の着色部１１５Ｒ、１１５Ｇ、１１５Ｂが平面的に周期的に配列されており、図示は省略したが、カラーフィルタ１１５の液晶層１１４側面には、液晶層に電圧を印加する手段たる電極と、液晶の初期配向状態を制御するための配向膜とが設けられている。一方、基板１１２側の回路層１１６は、基板１１１側の電極とともに液晶層１１４に電界を印加する電極を少なくとも含み、本実施形態の場合、ＴＦＴ（薄膜トランジスタ）からなる画素スイッチング素子が設けられている。また回路層１１６上にも配向膜が設けられている。
【００３２】
図３に示す画素の概略平面構成をみると、液晶パネル１１０の回路層１１６に、互いに交差する方向に延びる複数のデータ線１１６ｄと複数の走査線１１６ｇとが形成されており、これらのデータ線１１６ｄと走査線１１６ｇとに囲まれる矩形状の領域が１つのドット１１８を形成している。ドット１１８内の回路層１１６には、画素電極１１６ｅと、ＴＦＴ１１６ｓとが設けられており、画素電極１１６ｅはＴＦＴ１１６ｓを介してデータ線１１６ｄ及び走査線１１６ｇに接続されている。一方、ドット領域内の基板１１２上には、着色部１１５Ｒ、１１５Ｇ、１１５Ｂのうち１つの着色部が、前記回路層１１６の画素電極１１６ｅと平面的に重なるように配されており、図示した１組の着色部１１５Ｒ、１１５Ｇ、１１５Ｂを含む３つのドットが、液晶表示装置１００の１画素を構成する。
【００３３】
バックライト１２０は、図２に示すように、導光板１２１と導光板１２１の側端面（図示では左側端）に配設された光源１２２とを主体として構成されている。そして、光源１２２から射出された光を導光板１２１の側端面を介して導光板内部に導入するとともに、内部で伝搬させ、導光板１２１の上面から液晶パネル１１０側へ射出するようになっている。光源１２２には、冷陰極管やＬＥＤ（発光ダイオード）等の発光素子を用いることができ、導光板１２１には、透光性のアクリル樹脂等を成形したものを用いることができる。
【００３４】
次に、図４は、前記液晶表示装置及び本実施形態に係る色調整装置の電気的構成を示す図である。図５は、図４に示す画像処理部２１０の電気的構成を示す図である。
図４に示すように、液晶表示装置１００は、液晶パネル１１０と、バックライト１２０と、制御部２００と、画像処理部（画像処理手段）２１０とを備えて構成されている。色調整装置２５０は、色度検出部２６０と、色差演算部（色差導出手段）２７０と、メモリ（記憶手段）２８０とを備えて構成されている。
【００３５】
液晶パネル１１０は、先に記載したように、複数の走査線１１６ｇ及び複数のデータ線１１６ｄと、それらの交点に対応して設けられた複数のドット１１８とが設けられた表示領域１１０Ａと、前記ドット１１８…に接続された駆動回路１５０と、色センサ１８０とを備えている。駆動回路１５０は、走査線１１６ｇ…に導電接続された走査線駆動回路１３０とデータ線１１６ｄ…に導電接続されたデータ線駆動回路１４０を含むものである。
【００３６】
制御部２００は、本実施形態の液晶表示装置におけるタイミング信号生成手段として機能し、図示ない上位装置から供給される垂直走査信号Ｖｓｙｎｃ、水平走査信号Ｈｓｙｎｃ、ドットクロック信号ｄＣＬＫ及びクロックＣＬＫ等に従って、各種のタイミング信号やクロック信号などを生成し、液晶パネル１１０の駆動回路１５０に対し出力する。図４に示すＤＹ，ＣＬＹはそれぞれスタートパルス及びクロック信号であり、走査線駆動回路に入力される。またＬＰ，ＣＬＸはそれぞれラッチパルス及びクロック信号であり、データ線駆動回路に入力される。
【００３７】
画像処理部２１０は、図示しない上位装置から入力される画像信号ＤＡＴＡを、液晶パネル１１０で適切に表示できる形態の表示信号Ｄｓに変換して出力するものであり、図５に示すように、アナログ形式の画像信号をデジタル信号に変換するＡ／Ｄ変換部２１１と、カラー変換テーブル２１４をＲＧＢの各画像信号に対し適用して所定の色変換を行う色変換部２１２と、デジタル信号をアナログ表示信号Ｄｓに変換して出力するＤ／Ａ変換部２１３と、色差演算部２７０から出力される色差情報に基づきカラー変換テーブル２１４を補正するテーブル生成部（色補正手段）２１５とを備えて構成されている。
【００３８】
カラー変換テーブル２１４は、入力値と出力値との対応表を保持したＬＵＴ（ルックアップテーブル）であり、本実施形態の場合、液晶パネル１１０の入出力プロファイル（パネル固有の入出力特性）を保持したものである。そして色変換部２１２は、上記カラー変換テーブル２１４に基づき、入力されたＲＧＢデジタル信号（画像信号）を液晶パネル出力用のＲＧＢデジタル信号（表示信号）に変換する。また場合によっては、色変換部２１２に、画像信号に対してガンマ補正を行うためのガンマ補正テーブルを備えていてもよい。テーブル生成部２１５は、色差演算部２７０から入力される色差情報に基づいて、カラー変換テーブル２１４を更新するものである。
【００３９】
色調整装置２５０の色度検出部２６０は、液晶パネル１１０の色センサ１８０と電気的に接続され、色差演算部２７０は、画像処理部２１０と電気的に接続されるようになっている。係る装置間接続構造については特に限定はないが、液晶表示装置１００の外部接続端子に、色センサ１８０用の端子と、画像処理部２１０用の端子とを設けておけばよい。
【００４０】
色度検出部２６０は、色センサ１８０（図１に示す色センサ１８０Ｒ、１８０Ｇ、１８０Ｂ）から出力される色信号を読み出し、必要に応じて色信号の変換を行い、色差演算部２７０に色度情報として出力する。色差演算部２７０は、入力された前記色度情報と、メモリ２８０に予め保持されている色度情報とを比較して、バックライト１２０から出力される照明光の色度と、基準値との差異を検出する。メモリ２８０は、上記の如く照明光の色度に係る基準値である基準色度情報を保持している。
【００４１】
以下、図６に示すフローチャートを参照して、色調整装置２５０を用いた液晶表示装置１００の色調整手順について説明する。
本発明に係る方法により液晶表示装置の色調整を行うには、まず、図４に示したように、液晶表示装置１００に色調整装置２５０を接続した状態で、液晶表示装置１００を動作させる。次いで、液晶パネル１１０に設けられた色センサ１８０を用いて、バックライト１２０から出力される照明光の測色を行う（測色ステップＳ１）。測色によって色度検出部２６０に読み出された色度情報は、必要に応じて行われる色空間の変換処理を経て色差演算部２７０に出力される。本実施形態の場合、分光特性の異なる色フィルムを介した３つのセンサにより測色するので、色センサ１８０から出力されるデバイス依存の色信号（ＲＧＢ値）を、デバイス非依存の色信号（三刺激値ＸＹＺ）に変換し、色差演算部２７０へ色度情報として出力する。
【００４２】
上記ＲＧＢ値からＸＹＺ値への色信号の変換に際しては、下記（数１）に示すような線形変換などが利用できる。（数１）において、Ｍは３×３のＲＧＢ→ＸＹＺ変換行列であり、色センサ１８０の色特性を示している。また（α，β，γ）は補正項であり、色フィルム１７０Ｒ、１７０Ｇ、１７０Ｂの分光特性がルータ条件から外れている場合に加えられる項である。この補正項（α，β，γ）は、受光素子１６０Ｒ、１６０Ｇ、１６０Ｂの分光感度と色フィルム１７０Ｒ、１７０Ｇ、１７０Ｂの分光感度とを予め測定し、ＣＩＥ等色関数との差を求めることで算出することができる。上記色信号の変換機能は、色度検出部２６０に（数１）の計算を実行する演算回路として実装してもよく、色度検出部２６０から参照可能なＬＵＴ（ルックアップテーブル）を用意し、このＬＵＴを参照しつつ補間計算を行う演算回路として実装してもよい。また、係る演算回路は、色差演算部２７０に実装されていてもよい。
【００４３】
【数１】
2006091237.tif 000003
【００４４】
次に、色差演算部２７０は、色度検出部２６０から入力された色度情報と、メモリ（記憶手段）２８０に保持された色度情報とに基づく演算処理により色差ΔＥａ＊ｂ＊（色差情報）を算出し、画像処理部２１０のテーブル生成部２１５に出力する（色差導出ステップＳ２）。具体的には、まず、下記（数２）を用いて色度検出部２６０から入力された色信号（Ｘ，Ｙ，Ｚ）をＣＩＥＬＡＢ色空間に変換する。なお、（数２）中（Ｘｎ，Ｙｎ，Ｚｎ）は白色光のＸ，Ｙ，Ｚを表しており、Ｙｎ＝１００としてＸｎ，Ｚｎを正規化した値である。
【００４５】
そして、予めメモリ２８０に保持されている基準値（Ｌ＊１，ａ＊１，ｂ＊１）（基準色度情報）と、（数２）に基づき得られた値（Ｌ＊２，ａ＊２，ｂ＊２）（色度情報）とを用いて、下記（数３）に示す式により色差ΔＥａ＊ｂ＊（色差情報）を求める。メモリ２８０に保持されている値（Ｌ＊１，ａ＊１，ｂ＊１）は、液晶表示装置１００の仕様として決定された基準値である。
【００４６】
【数２】
2006091237.tif 000004
【００４７】
【数３】
2006091237.tif 000005
【００４８】
次に、得られた色差ΔＥａ＊ｂ＊の値に基づき、画像処理部２１０における色補正動作の実行が選択される（ステップＳ３）。すなわち、色差ΔＥａ＊ｂ＊が既定値（例えば３）以上の値であるとき、色差演算部２７０から画像処理部２１０に対してカラー変換テーブル２１４を更新するための色差情報（ΔＥａ＊ｂ＊）が出力され、画像処理部２１０にてカラー変換テーブル２１４が更新される（色補正ステップＳ４）。上記色差ΔＥａ＊ｂ＊が既定値未満であれば、照明光の色ずれは許容範囲内であると判断し、カラー変換テーブル２１４の更新を行わず処理を終了する（エンド）。
【００４９】
上記色差ΔＥａ＊ｂ＊に係る既定値は３程度とすることが好ましい。このような範囲とすることで、基準値に対する照明光の色ずれが、人間に認識できる程度となる値を色調整の判断基準値とすることができるので、効率的に色調整を行うことが可能になる。
なお、色差ΔＥａ＊ｂ＊が２．５以下であれば、離間して観察した際に比較に係る２つの色は、ほぼ同一の色と認めることができるとされている（下記参考文献参照）ので、色調整の判断基準値としての上記既定値は２．５より大きくすることが好ましい。
【００５０】
参考文献：「新編  色彩科学ハンドブック第２版」  日本色彩学会編  東京大学出版会
【００５１】
色調整装置２５０は、前記色差情報を、色差演算部２７０から画像処理部２１０のテーブル生成部２１５に入力する。テーブル生成部２１５は、入力された色差情報に基づき、カラー変換テーブル２１４を更新する。このとき、テーブル生成部２１５によって新たにカラー変換テーブルを生成して置換してもよいし、カラー変換テーブル２１４の一部を補正値で上書きしてもよい。なお、上記テーブル生成部２１５は、色調整装置２５０に設けられていてもよい。
このようにしてカラー変換テーブル２１２が更新され、色変換部２１２にて更新されたカラー変換テーブル２１４が適用されることで、液晶パネル１１０に照明光の色ずれを補正できる表示信号Ｄｓを供給できるようになる。
【００５２】
このように本実施形態の色調整装置２５０を用いた色調整方法によれば、バックライト１２０の色ずれを補償した表示を得られるように液晶表示装置１００の色調整を行うことができ、バックライト１２０に起因する表示色のばらつきを効果的に低減することができる。これにより、均一な表示品質の液晶表示装置を再現性よく高歩留まりに製造することが可能になる。またバックライト１２０の色合いに係る制限を緩和できるので、部品コストを低減できるという利点もある。
また本実施形態に係る色調整装置２５０では、そのメモリ２８０に保持している色度情報を変更することで、液晶表示装置１００の色味を容易に変更することが可能であり、用途に合わせて適切に色合いが設定された液晶表示装置を製造可能になる。
【００５３】
なお、本実施形態では、色センサ１８０Ｒ、１８０Ｇ、１８０Ｂを表示領域１１０Ａの異なる辺端に沿った位置に配置している。このような配置とすることで、色フィルム１７０Ｒ、１７０Ｇ、１７０Ｂをパネル背面に設ける際の位置精度を緩和でき、液晶表示装置の製造を容易なものとすることができるが、色センサ１８０Ｒ、１８０Ｇ、１８０Ｂの配置は図示の形態に限定されるものではなく、表示領域１１０Ａの外側の領域であって、バックライト１２０の照射領域であれば任意の位置に前記色センサを配置することができる。例えば、３つの色センサ１８０Ｒ、１８０Ｇ、１８０Ｂが表示領域１１０Ａの一辺端に沿って配列されている構成とすることができる。
【００５４】
また本実施形態では、透過型の液晶表示装置について説明したが、液晶パネルのドット領域内に部分的に反射層が設けられ、反射表示と透過表示の双方が可能に構成された半透過反射型液晶表示装置に対しても問題なく適用することができる。上記半透過反射型の構成を採用する場合には、前記反射層と同層に形成された反射膜が、図１及び図２に示した受光素子１６０Ｒ、１６０Ｇ、１６０Ｂを平面的に覆うように形成されている構成とすることもできる。このような構成とするならば、バックライト１２０から射出され、色フィルム１７０Ｒ、１７０Ｇ、１７０Ｂをそれぞれ透過した光を、前記反射膜で反射させた後に前記受光素子１６０Ｒ、１６０Ｇ、１６０Ｂに入射させることができる。また係る構成においては、前記反射膜が光散乱性を具備した構成とすることが好ましい。係る構成によれば、色フィルムを透過して反射膜に入射した色光を散乱させ、効率よくセンサに入射させることができる。
【００５５】
（第２の実施形態）
図７は、本発明に係る第２の実施形態である液晶表示装置と色調整装置の概略構成図である。上記第１の実施形態では、色センサ１８０が設けられた液晶パネル１１０を備えた本発明に係る液晶表示装置における色調整方法について説明したが、本発明に係る色調整方法は、色センサ１８０が設けられていない液晶パネルを具備した液晶表示装置についても適用することができる。
なお、図７に示す各構成要素のうち、図１から図５に示した液晶表示装置１００及び色調整装置２５０と共通のものには同一の符号を付して、その詳細な説明は省略する。
【００５６】
図７に示す構成において、色調整装置２５０ａは、色センサ（測色手段）１８０ａと、色度検出部２６０と、色差演算部（色差導出手段）２７０と、メモリ（記憶手段）２８０とを備えて構成されている。本構成の液晶表示装置１００ａは、液晶パネル１１０ａとその背面側（図示下面側）に配設されたバックライト１２０とを備えており、液晶パネル１１０ａは、基板１１１と基板１１２との間に図示略の液晶層を挟持してなる構成を備えている。この液晶パネル１１０ａは、図１から図５に示した液晶パネル１００とは異なり、色センサ１８０は設けられていない。
また、液晶パネル１１０ａには、ＦＰＣ（Flexible Print Circuit）１００ｆを介して制御回路１００ｃが接続されており、係る制御回路１００ｃは、図４に示した制御部２００及び画像処理部２１０に相当する回路を具備したものとなっている。
【００５７】
図７に示す本実施形態の構成においては、液晶表示装置１００ａを動作させて、バックライト１２０から射出されて液晶パネル１１０ａを透過した光Ｌを、色調整装置２５０ａの色センサ１８０ａで測定する。次いで、色センサ１８０から出力される色信号を色度検出部２６０を入力し、必要に応じて色空間の変換を行った後、色差演算部２７０に対し色度情報として入力する。そして、メモリ２８０に保持された基準色度情報と前記入力された色度情報とから色差ΔＥａ＊ｂ＊を算出する。
ここで、上記色差ΔＥａ＊ｂ＊が所定値以上であれば、色差演算部２７０から色差情報が液晶表示装置１００ａの画像処理部に入力され、画像処理部に備えられたカラー変換テーブルが更新されて色調整が成される。一方、上記色差ΔＥａ＊ｂ＊が所定値未満の場合には、前記色調整は実行されない。
【００５８】
このように、本発明に係る色調整装置２５０ａは、色センサ１８０を備えない構成の液晶表示装置の色調整にも良好に適用でき、バックライト１２０の色ばらつきが効果的に補償され、均一な表示品質の液晶表示装置の安定製造に大いに寄与するものとなっている。
【００５９】
（第３の実施形態）
次に、図８及び図９を参照して本発明の第３実施形態について説明する。
図８は、本実施形態の液晶表示装置３００の平面構成図であり、図９は、図８のＢ−Ｂ’線に沿う断面構成図である。なお、本実施形態は上記第１実施形態の変形例である。したがって、図８及び図９に示す構成要素のうち、図１又は図２と共通のものには同一の符号を付してその詳細な説明を省略する。
【００６０】
図８及び図９に示す液晶表示装置３００は、液晶パネル３１０と、その背面側に配設されたバックライト１２０とを主体として構成されている。また液晶表示装置３００は、図４及び図５に示した第１実施形態の液晶表示装置と同様の電気的構成を具備したものとなっている。
【００６１】
液晶パネル３１０は、シール材１１３を介して互いに対向して配置された基板１１１，１１２間に液晶層１１４を挟持してなる構成を備える。基板１１１の内面側（液晶層側）には、所定平面形状の遮光部１１９ａを備えた遮光層１１９と、カラーフィルタ３１５と、図示略の電極及び配向膜とが設けられている。基板１１２の内面側には回路層１１６が設けられ、回路層１１６上には図示略の配向膜が設けられている。回路層１１６は、画素スイッチング素子たるＴＦＴや画素電極、駆動回路１５０、受光素子１６０Ｒ、１６０Ｇ、１６０Ｂ等を含んで構成されている。
【００６２】
液晶パネル３１０は、図８に示すように、基板１１１，１１２が平面的に重なる領域に表示領域１１０Ａを有しており、表示領域１１０Ａの３つの辺端の外側にそれぞれ受光素子１６０Ｒ、１６０Ｇ、１６０Ｂが配設されている。また、カラーフィルタ３１５は、３色（Ｒ，Ｇ，Ｂ）の着色部１１５Ｒ、１１５Ｇ、１１５Ｂを表示領域１１０Ａ内に周期的に配列してなる構成を備えるとともに、表示領域１１０Ａの外側であって受光素子１６０Ｒ、１６０Ｇ、１６０Ｂと平面的に重なる位置に、それぞれセンサ用フィルタ３１５Ｒ、３１５Ｇ、３１５Ｂを有している。これらのセンサ用フィルタ３１５Ｒ、３１５Ｇ、３１５Ｂは、それぞれ着色部１１５Ｒ、１１５Ｇ、１１５Ｂと同様の構成を備えたものとなっている。また、前記着色部１１５Ｒ、１１５Ｇ、１１５Ｂの境界領域と平面的に重なるように前記遮光層１１９の遮光部１１９ａが延在している。この遮光部１１９ａは表示領域１１０Ａの外側まで延設されて液晶パネル３１０のいわゆる「周辺見切り」を構成しているが、上記センサ用フィルタ３１５Ｒ、３１５Ｇ、３１５Ｂの形成領域周辺には形成されておらず、液晶層１１４側から入射する照明光を透過可能になっている。
【００６３】
また液晶パネル３１０には、表示領域１１０Ａに対応する矩形状の開口部３３０ａを有するフレーム３３０が前面側から披着されている。フレーム３３０は、平面視で受光素子１６０Ｒ、１６０Ｇ、１６０Ｂ及びセンサ用フィルタ３１５Ｒ、３１５Ｇ、３１５Ｂを覆うように配置されている。そして、センサ用フィルタ３１５Ｒ、３１５Ｇ、３１５Ｂと対向するフレームの裏面３３１に、光反射性が付与された光反射領域を有している。この構成により、バックライト１２０から出力されて液晶パネル３１０を透過した照明光をこの光反射領域で反射させ、分光手段であるセンサ用カラーフィルタ３１５Ｒ、３１５Ｇ、３１５Ｂにより各色光に分光して対応する受光素子１６０Ｒ、１６０Ｇ、１６０Ｂに入射させるようになっている。したがって本実施形態の液晶表示装置３００は、受光素子１６０Ｒ、１６０Ｇ、１６０Ｂと、センサ用フィルタ３１５Ｒ、３１５Ｇ、３１５Ｂとにより、図１から図４に示した色センサ１８０Ｒ、１８０Ｇ、１８０Ｂと同様の構成を実現したものとなっている。
【００６４】
液晶表示装置３００は、図４及び図５に示した電気的構成を具備しているので、受光素子１６０Ｒ、１６０Ｇ、１６０Ｂとセンサ用フィルタ３１５Ｒ、３１５Ｇ、３１５Ｂとからなる色センサによってバックライト１２０の照明光の色度を測定し、その色信号を色調整装置２５０に対して出力できるようになっている。色調整装置２５０では、入力された色信号から得られた色度情報と、メモリ２８０に保持された基準色度情報とから色差ΔＥａ＊ｂ＊を算出し、係る色差ΔＥａ＊ｂ＊の値に基づいてカラー変換テーブル２１４を更新するための色度情報を画像処理部２１０に供給する。その後、係る色差情報に基づきカラー変換テーブル２１４が更新されることで、液晶パネル３１０に供給される表示信号がバックライト１２０の色ずれを適切に補償可能な表示信号となり、もって入力画像を忠実に再現して表示可能な液晶表示装置を得ることができる。
【００６５】
また本実施形態の液晶表示装置３００では、分光手段であるセンサ用フィルタ３１５Ｒ、３１５Ｇ、３１５Ｂが、カラーフィルタ３１５に設けられており、着色部１１５Ｒ、１１５Ｇ、１１５Ｂと同等の位置精度で形成されているので、受光素子１６０Ｒ、１６０Ｇ、１６０Ｂに対してセンサ用フィルタを正確に位置合わせすることができる。したがって、図８に示すような表示領域１１０Ａの３辺端の外側にそれぞれ受光素子１６０Ｒ、１６０Ｇ、１６０Ｂを配置する形態のみならず、表示領域１１０Ａの一辺端に沿って受光素子１６０Ｒ、１６０Ｇ、１６０Ｂを配列した形態も容易に適用できる。さらに上記センサ用フィルタ３１５Ｒ、３１５Ｇ，３１５Ｂは、カラーフィルタ３１５の形成工程で着色部とともに形成できるので、色フィルムを用いる第１実施形態に比して製造コストの点で有利な構成となっている。
【００６６】
なお、本実施形態では、フレーム３３０の裏面３３１に光反射領域を設け、係る光反射領域で照明光を反射させて色センサに入射させる構成としているが、この光反射領域は、液晶パネル３１０に設けられていてもよい。すなわち、基板１１１の内面又は外面であって、センサ用フィルタ３１５Ｒ、３１５Ｇ、３１５Ｂと平面的に重なる位置に、アルミニウムや銀等からなる光反射性の金属膜を設けてもよい。
【００６７】
また本実施形態に係る液晶パネル３１０では、カラーフィルタ３１５の着色部１１５Ｒ、１１５Ｇ、１１５Ｂの境界領域、及びセンサ用フィルタ３１５Ｒ、３１５Ｇ、３１５Ｂの周縁部と平面的に重なる位置に遮光層１１９が設けられている。この遮光層１１９に設けられた遮光部１１９ａは、例えばＣｒやＴｉからなる金属膜と、その酸化物からなる金属酸化物膜とを積層した構造が採られており、表示面側（基板１１１側）から順に金属酸化物膜と金属膜とが積層されて配置されている。
このような構成の遮光部１１９ａを表示面側から見ると、前記金属酸化物膜の干渉によって黒色に視認され、ドット１１８の周縁部に延在する配線による反射や、表示領域の外側における光の透過を防止するようになっている。その一方で、遮光部１１９ａを裏面側（液晶層１１４側）から見ると、金属酸化物膜は設けられていないので、その表面で光を反射可能なものとなっている。そこで、係る遮光部１１９ａを、センサ用フィルタ３１５Ｒ、３１５Ｇ、３１５Ｂの形成領域まで延設すれば、バックライト１２０から出力された照明光を遮光層１１９の金属膜によって反射させてセンサ用フィルタ３１５Ｒ、３１５Ｇ、３１５Ｂに入射させることができる。これにより、上記フレーム３３０と同様の機能を液晶パネル３１０に内蔵した構成を実現でき、製造コスト等の面で有利なものとなる。
【００６８】
（第４の実施形態）
次に、本発明の第４の実施形態について、図１０を参照して説明する。上記各実施の形態では、液晶表示装置に色調整装置と接続して色調整を行う形態につき説明したが、本発明に係る液晶表示装置には、上述した色調整装置の機能を実装することもできる。以下、係る構成の液晶表示装置について説明する。
【００６９】
図１０は、第４実施形態に係る液晶表示装置４００の電気的構成を示す図である。
液晶表示装置４００は、先の実施形態と同様のアクティブマトリクス方式の透過型カラー液晶表示装置であり、液晶パネル１１０と、バックライト１２０と、制御部２００と、画像処理部（画像処理手段）２１０とを主体としてなり、さらに色度検出部２２０、色差演算部（色差導出手段）２３０、及びメモリ（記憶手段）２４０を備えた構成となっている。上記構成要素のうち、液晶パネル１１０、バックライト１２０、及び画像処理部２１０の構成は先の実施形態の液晶表示装置１００と同様であり、色度検出部２２０、色差演算部２３０、及びメモリ２４０は、それぞれ図４に示した色度検出部２６０、色差演算部２７０、及びメモリ２８０と同様の機能を具備したものとなっている。
【００７０】
以上の構成を備えた液晶表示装置４００は、図７にフローチャートを示した色調整方法の各ステップを実行可能になっている。すなわち、液晶パネル１１０に設けられた色センサ１８０によりバックライト１２０の照明光の測色を行い（測色ステップＳ１）、色センサ１８０から出力された色信号を色度検出部２２０から色差演算部２３０へ色度情報として出力する。色差演算部２３０では、入力された色度情報と、メモリ２４０に保持された基準色度情報とから色差ΔＥａ＊ｂ＊を算出し（色差導出ステップＳ２）、得られた色差ΔＥａ＊ｂ＊が既定値（例えば３）以上であるか否かの判断処理を行う（ステップＳ３）。そして、ΔＥａ＊ｂ＊が既定値以上であれば、色差情報を画像処理部２１０に出力し、画像処理部２１０においてカラー変換テーブル２１４の更新処理が実行され（色補正ステップＳ４）、バックライト１２０の色ずれが補償された表示を得られるように液晶パネル１１０の色調整が成される。上記ステップＳ３においてΔＥａ＊ｂ＊が既定値未満であれば、色調整処理を終了する（エンド）。
【００７１】
このように本実施形態の液晶表示装置４００によれば、外部の色調整装置を用いることなく、色調整処理を実行でき、バックライト１２０の色ずれ補正を迅速かつ効率的に行うことができ、製造効率の向上に寄与する。また、色調整機能を内蔵した構成を採用することで、液晶表示装置４００の色調整を製造時に限らず実行することが可能な液晶表示装置となる。すなわち、バックライト１２０の照明光が経時的に色変化した場合にも、上記色調整処理を実行することで係る色変化が補償された表示を得られるようになるので、長期間に渡り入力画像を正確に再現できる液晶表示装置となる。
【００７２】
（電子機器）
以下、本発明を携帯電話機に適用した実施形態につき、図面に沿って具体的に説明する。
本発明に係る携帯電話機は、図１１に示すように、先の実施形態の液晶表示装置からなる表示部１０１２と、複数の操作キーが配列された操作部１０１３とを備えた本体部１００１の下端部に、ヒンジ機構を介して蓋部１００２が連結された構成を備えており、前記蓋部１００２は、本体部１００１に対して開閉自在とされている。本体部１００１と蓋部１００２との連結部近傍には、蓋部１００２の開／閉状態を検知する蓋部センサが設けられており、本体部１００１の頂上部には、本体部１００１に対して進退自在のアンテナ１０１９が設けられている。表示部１０１２の上方に受話部（スピーカ）１０２０が設けられ、蓋部１００２の先端部に送話部（マイクロフォン）１０１４が設けられており、蓋部１００２を開いた状態で通話が可能に構成されている。
以上の構成を具備した本実施形態の携帯電話機１０００は、先の実施形態の液晶表示装置によって構成され、入力画像を忠実に再現することができる高画質の表示部を具備したものとなっている。
【００７３】
なお、本発明に係る液晶表示装置は、上記携帯電話機に限らず、電子ブック、パーソナルコンピュータ、デジタルスチルカメラ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の表示部として好適に用いることができるものである。
【図面の簡単な説明】
【００７４】
【図１】図１は、第１実施形態に係る液晶表示装置の平面構成図。
【図２】図２は、図１のＡ−Ａ’線に沿う断面構成図。
【図３】図３は、同、１画素領域を示す平面構成図。
【図４】図４は、同、電気的構成を示す図。
【図５】図５は、図４に示す画像処理部の電気的構成を示す図。
【図６】図６は、実施形態に係る色調整方法を示すフローチャート。
【図７】図７は、第２実施形態に係る液晶表示装置の概略構成図。
【図８】図８は、第３実施形態に係る液晶表示装置の概略構成図。
【図９】図９は、図８のＢ−Ｂ’線に沿う断面構成図。
【図１０】図１０は、第４実施形態に係る液晶表示装置の電気的構成を示す図。
【図１１】図１１は、電子機器の一例たる携帯電話機を示す斜視図。
【符号の説明】
【００７５】
１００，３００，４００  液晶表示装置、１１０，３１０  液晶パネル、１２０  バックライト（照明手段）、１６０Ｒ，１６０Ｇ，１６０Ｂ  受光素子、１７０Ｒ，１７０Ｇ，１７０Ｂ  色フィルム（分光手段）、１８０，１８０Ｒ，１８０Ｇ，１８０Ｂ  色センサ（測色手段）、１１５，３１５  カラーフィルタ、１３０，１４０，１５０  駆動回路、２００  制御部、２１０  画像処理部（画像処理手段）、２２０，２６０  色度検出部（測色手段）、２３０，２７０  色差演算部（色差導出手段）、２４０，２８０  メモリ（記憶手段）、２１４  カラー変換テーブル、３３０  フレーム
【図１】
2006091237.tif 000006
【図２】
2006091237.tif 000007
【図３】
2006091237.tif 000008
【図４】
2006091237.tif 000009
【図５】
2006091237.tif 000010
【図６】
2006091237.tif 000011
【図７】
2006091237.tif 000012
【図８】
2006091237.tif 000013
【図９】
2006091237.tif 000014
【図１０】
2006091237.tif 000015
【図１１】
2006091237.tif 000016